(57)【要約】【課題】有線通信、無線通信双方を備えるインターフェース装置において、有線通信実行時の不要輻射ノイズにより無線通信が妨害され、誤り率が高くなる。【解決手段】有線アクセス装置１００とインターフェース装置１２０との間で送信可否情報を共有し、インターフェース装置１２０が無線通信を開始するときに送信可否情報を「通信禁止」とする。有線アクセス装置１００は、送信可否情報が「通信禁止」のとき、有線通信路１９１にパケットを送信しない。これにより無線通信は、有線通信に影響されることなく送受信を実行することができる。【選択図】図１
2009164868.tif 000002
【特許請求の範囲】
【請求項１】
有線通信により第一の外部機器とデータ送受信を行う有線通信インターフェース部と、
無線通信により第二の外部機器とデータ送受信を行う無線通信インターフェース部と、
前記有線通信インターフェース部、および前記無線通信インターフェース部を制御するインターフェース制御部と、を備えるインターフェース装置であって、
前記インターフェース制御部は、前記第二の外部機器とデータ送受信を開始、もしくは再開する際に、前記第一の外部機器と「通信禁止」の状態情報を共有し、
前記第二の外部機器とデータ送受信を終了、もしくは一時停止する際に、前記第一の外部機器と「通信許可」の状態情報を共有することを特徴とするインターフェース装置。
【請求項２】
有線通信により第一の外部機器とデータ送受信を行う有線通信インターフェース部と、
無線通信により第二の外部機器とデータ送受信を行う無線通信インターフェース部と、
前記有線通信インターフェース部、および前記無線通信インターフェース部を制御するインターフェース制御部と、を備えるインターフェース装置であって、
前記インターフェース制御部は、前記第二の外部機器とデータ送受信を開始、もしくは再開する際に、前記第一の外部機器に対して「通信禁止」の状態情報を送信し、
前記第二の外部機器とデータ送受信を終了、もしくは一時停止する際に、前記第一の外部機器に対して「通信許可」の状態情報を送信することを特徴とするインターフェース装置。
【請求項３】
請求項２に記載のインターフェース装置において、前記第一の外部機器とデータ送受信を開始、もしくは再開する際に、前記第二の外部機器に対して「通信禁止」の状態情報を送信し、
前記第一の外部機器とデータ送受信を終了、もしくは一時停止する際に、前記第二の外部機器に対して「通信許可」の状態情報を送信することを特徴とするインターフェース装置。
【請求項４】
請求項１乃至３に記載のインターフェース装置が、さらに不揮発性メモリを備えたことを特徴とする不揮発性記憶装置。
【請求項５】
第一のアクセス装置と、第二のアクセス装置と、前記第一のアクセス装置と有線通信によるデータ送受信を行い、また前記第二のアクセス装置と無線通信によるデータ送受信を行うインターフェース装置と、を具備した通信システムであって、
前記インターフェース装置は、前記第二のアクセス装置とデータ送受信を開始、もしくは再開する際に、前記第一のアクセス装置と「通信禁止」の状態情報を共有し、
前記第二のアクセス装置とデータ送受信を終了、もしくは一時停止する際に、前記第一のアクセス装置と「通信許可」の状態情報を共有することを特徴とする通信システム。
【請求項６】
請求項５に記載の通信システムにおいて、前記第一のアクセス装置は、前記インターフェース装置と「通信禁止」の状態情報を共有した際に、データを送信しないことを特徴とする通信システム。
【請求項７】
第一のアクセス装置と、第二のアクセス装置と、前記第一のアクセス装置と有線通信によるデータ送受信を行い、また前記第二のアクセス装置と無線通信によるデータ送受信を行うインターフェース装置と、を具備した通信システムであって、
前記インターフェース装置は、前記第二のアクセス装置とデータ送受信を開始、もしくは再開する際に、前記第一のアクセス装置に対して「通信禁止」の状態情報を送信し、
前記第二のアクセス装置とデータ送受信を終了、もしくは一時停止する際に、前記第一のアクセス装置に対して「通信許可」の状態情報を送信することを特徴とする通信システム。
【請求項８】
請求項７に記載の通信システムにおいて、前記第一のアクセス装置は、「通信禁止」の状態情報を受信した際に、データを送信しないことを特徴とする通信システム。
【請求項９】
請求項７乃至８の通信システムにおいて、さらに、前記インターフェース装置は、前記第一のアクセス装置とデータ送受信を開始、もしくは再開する際に、前記第二のアクセス装置に対して「通信禁止」の状態情報を送信し、
前記第一のアクセス装置とデータ送受信を終了、もしくは一時停止する際に、前記第二のアクセス装置に対して「通信許可」の状態情報を送信することを特徴とする通信システム。
【請求項１０】
請求項９に記載の通信システムにおいて、前記第二のアクセス装置は、「通信禁止」の状態情報を受信した際に、データを送信しないことを特徴とする通信システム。
【請求項１１】
請求項５乃至１０に記載の通信システムにおいて、前記インターフェース装置は、不揮発性メモリをさらに備えることを特徴とする通信システム。
【請求項１２】
有線通信により第一の外部機器とデータ送受信を行い、
無線通信により第二の外部機器とデータ送受信を行う通信方法であって、
前記第二の外部機器とデータ送受信を開始、もしくは再開する際に、前記第一の外部機器と「通信禁止」の状態情報を共有し、
前記第二の外部機器とデータ送受信を終了、もしくは一時停止する際に、前記第一の外部機器と「通信許可」の状態情報を共有することを特徴とする通信方法。
【請求項１３】
有線通信により第一の外部機器とデータ送受信を行い、
無線通信により第二の外部機器とデータ送受信を行う通信方法であって、
前記第二の外部機器とデータ送受信を開始、もしくは再開する際に、前記第一の外部機器に対して「通信禁止」の状態情報を送信し、
前記第二の外部機器とデータ送受信を終了、もしくは一時停止する際に、前記第一の外部機器に対して「通信許可」の状態情報を送信することを特徴とする通信方法。
【請求項１４】
請求項１３に記載の通信方法において、さらに、前記第一の外部機器とデータ送受信を開始、もしくは再開する際に、前記第二の外部機器に対して「通信禁止」の状態情報を送信し、
前記第一の外部機器とデータ送受信を終了、もしくは一時停止する際に、前記第二の外部機器に対して「通信許可」の状態情報を送信することを特徴とする通信方法。
【発明の詳細な説明】
【技術分野】
【０００１】
本発明は、有線通信および無線通信を制御する機能を備えたインターフェース装置、および上記インターフェース装置と不揮発性メモリを備えた半導体メモリカード等の不揮発性記憶装置、および上記インターフェース装置もしくは上記不揮発性記憶装置に、有線通信または無線通信を用いてアクセスするアクセス装置、および上記インターフェース装置もしくは上記不揮発性記憶装置に上記アクセス装置を構成要件として加えた通信システムに関する。
【背景技術】
【０００２】
無線通信速度の向上、および無線通信回路の小規模化に伴い、無線通信機能を持たないホスト機器に装着して無線通信機能を追加可能な周辺機器が実用化されてきている。このような周辺機器は、少なくとも上記無線通信機能を実現する無線通信回路のほか、装着されるホスト機器と有線通信を行うための有線通信回路を備える。
【０００３】
このような周辺機器を装着したホスト機器と、別途無線通信機能を備えたホスト機器との間で無線通信を実施する通信システムは、例えば特許文献１に詳述されている。
【０００４】
また、上記ホスト機器と周辺機器との間の有線通信仕様を変更することなく、上記周辺機器の無線通信機能をホスト機器に内蔵する形で、新たな無線通信機能付ホストを作成することも可能である。
【特許文献１】特開２００５−２９３２８４号公報
【発明の開示】
【発明が解決しようとする課題】
【０００５】
一般に無線通信は、近接する他のモジュール、および通信路から放射される不要輻射ノイズにより、通信誤りが発生しやすい。特に上記した従来の構成における周辺機器は、モバイル機器を含め多様なホスト機器に装着して使用されることを想定しているため、可能な限り小型化することが求められる。従って周辺機器内において、有線通信回路もしくは有線通信路と無線通信回路は近接して配置せざるを得ず、無線通信路は、有線通信の影響を受けやすくなる。
【０００６】
さらに不要輻射は、発生源となるデバイスのクロック周波数が高いほど強くなる。よって、有線通信路上に高速、大容量のデータが流れると、不要輻射ノイズが強く、長時間にわたって無線通信を妨害する。
【０００７】
特にＰＣＩ  Ｅｘｐｒｅｓｓは、何らかのデータ送受信を行う場合、最低でも２．５ＧＨｚのクロックを駆動させなければならない。このような高周波の有線通信と無線通信とを同時に実行すると、無線通信の誤り率が非常に高くなる。この結果、無線通信路においてパケット再送信が頻発して転送レートが低下する、もしくは通信そのものが不可能となってしまう可能性が高い。
【０００８】
そこで本発明は、上記問題点に鑑み、有線通信の不要輻射ノイズによる無線通信への影響を最小限とするインターフェース装置、および上記インターフェース装置と不揮発性メモリを備えた半導体メモリカード等の不揮発性記憶装置、および上記インターフェース装置もしくは上記不揮発性記憶装置に、有線通信または無線通信を用いてアクセスするアクセス装置、および上記インターフェース装置もしくは上記不揮発性記憶装置に上記アクセス装置を構成要件として加えた通信システムを提供することを目的とする。
【課題を解決するための手段】
【０００９】
前記目的を達成するための第１の発明は、有線通信により第一の外部機器とデータ送受信を行う有線通信インターフェース部と、無線通信により第二の外部機器とデータ送受信を行う無線通信インターフェース部と、前記有線通信インターフェース部、および前記無線通信インターフェース部を制御するインターフェース制御部と、を備えるインターフェース装置であって、前記インターフェース制御部は、前記第二の外部機器とデータ送受信を開始、もしくは再開する際に、前記第一の外部機器と「通信禁止」の状態情報を共有し、前記第二の外部機器とデータ送受信を終了、もしくは一時停止する際に、前記第一の外部機器と「通信許可」の状態情報を共有することを特徴とする。
【００１０】
また第２の発明は、有線通信により第一の外部機器とデータ送受信を行う有線通信インターフェース部と、無線通信により第二の外部機器とデータ送受信を行う無線通信インターフェース部と、前記有線通信インターフェース部、および前記無線通信インターフェース部を制御するインターフェース制御部と、を備えるインターフェース装置であって、前記インターフェース制御部は、前記第二の外部機器とデータ送受信を開始、もしくは再開する際に、前記第一の外部機器に対して「通信禁止」の状態情報を送信し、前記第二の外部機器とデータ送受信を終了、もしくは一時停止する際に、前記第一の外部機器に対して「通信許可」の状態情報を送信することを特徴とする。
【００１１】
さらに第２の発明において、インターフェース装置は、前記第一の外部機器とデータ送受信を開始、もしくは再開する際に、前記第二の外部機器に対して「通信禁止」の状態情報を送信し、前記第一の外部機器とデータ送受信を終了、もしくは一時停止する際に、前記第二の外部機器に対して「通信許可」の状態情報を送信することを特徴とする。
【００１２】
また、前記インターフェース装置と、前記第一、第二の外部機器から構成される通信システムであって、前記第一のアクセス装置が「通信禁止」の状態情報を共有した場合、もしくは受信した場合には、データを送信しないことを特徴とする。
【００１３】
さらに、前記の通信システムは、前記第二のアクセス装置が「通信禁止」の状態情報を受信した場合には、データを送信しないことを特徴とする。
【００１４】
またインターフェース装置は、前記モジュール単体よりなる装置、アクセス装置に内蔵、もしくは不揮発性メモリと組合せた不揮発性記憶装置、のいずれかの形態で提供されることを特徴とする。
【発明の効果】
【００１５】
本発明によれば、有線通信機能および無線通信機能双方を有するインターフェース装置、当該インターフェース装置を持つ通信システム、又はこれらにより実現される通信方法が、有線通信と無線通信がお互いに排他的に実施されるよう、状態情報を各アクセス装置に通知する。これにより、無線通信路は有線通信の不要輻射ノイズによる影響が小さくなり、効率よい無線通信を実現することが可能となる。
【発明を実施するための最良の形態】
【００１６】
以下に、本発明の実施の形態について、図面を参照しながら説明する。
【００１７】
（第１の実施の形態）
図１は、本発明の第１の実施の形態に於ける通信システムの実施方法を示したブロック図である。図１において、通信システムは、有線アクセス装置１００、インターフェース装置１２０、無線アクセス装置１３０とから構成される。
【００１８】
有線アクセス装置１００はアプリケーション部１０１、有線通信インターフェース部１０２、メモリ１０３を含む。有線通信インターフェース部１０２は、送信可否情報共有部１０２ａを含む。
【００１９】
インターフェース装置１２０は、有線通信インターフェース部１２１、無線通信インターフェース部１２３、インターフェース制御部１２５から構成される、また有線通信インターフェース部１２１は、送信可否情報共有部１２１ａを含む。インターフェース制御部１２５は有線通信インターフェース部１２１と無線通信インターフェース部１２３を制御するものであり、コマンド解釈部１２２、共有バッファ１２４を含む。
【００２０】
無線アクセス装置１３０は、無線通信インターフェース部１３１、不揮発性メモリ１３２とから構成される。
【００２１】
有線アクセス装置１００とインターフェース装置１２０は、有線通信路１９１を介して通信が可能である。有線通信路１９１の制御は、双方の有線通信インターフェース部１０２および１２１が実施する。有線通信路の例として、ＰＣのバスとして普及しているＰＣＩ  Ｅｘｐｒｅｓｓ、ＵＳＢなどのほか、ＬＶＤＳ（Ｌｏｗ  Ｖｏｌｔａｇｅ  Ｄｉｆｆｅｒｅｎｔｉａｌ  Ｓｉｇｎａｌｉｎｇ）を用いた高速伝送方式などがある。
【００２２】
インターフェース装置１２０と無線アクセス装置１３０とは、無線通信路１９２を介して通信が可能である。無線通信路１９２の制御は、双方の無線通信インターフェース部１２３および１３１が実施する。無線通信の例として、無線ＬＡＮ（ＩＥＥＥ８０２．１１）、ＵＷＢ、Ｂｌｕｅｔｏｏｔｈ、６０ＧＨｚ帯を使用したミリ波通信などがある。
【００２３】
本実施の形態の通信システムにおいて、有線アクセス装置１００内の送信可否情報共有部１０２ａと、インターフェース装置１２０内の送信可否情報共有部１２１ａとは、共有メモリ空間により送信可否情報が共有されているものとし、一方の送信可否情報共有部の内容が変更されたとき、有線通信路１９１を介して直ちに他方の送信可否情報共有部の内容が変更されるものとする。なお本実施の形態では、送信可否情報は「通信許可」、「通信禁止」のいずれかが設定されるものとする。ここで「通信許可」とは、送信を実行すれば問題なく通信が可能であること、「通信禁止」とは、送信を開始しても不要輻射により無線通信が妨害されて正常な通信が保証されないこと、すなわち正常通信を実現するためには送信を実行してはならないことを意味する。
【００２４】
本実施の形態においては、有線アクセス装置１００のメモリ１０３に保持されたデータを、インターフェース装置１２０を介して無線アクセス装置１３０の不揮発性メモリ１３２内に生成されているファイルに書き込む動作（以後この動作を「間接Ｗｒｉｔｅ」と呼ぶ）について説明する。なお、メモリ１０３に保持されているデータは、有線アクセス装置１００に付随するカメラなどの入力装置（図示せず）から取得されたデータ、もしくは有線アクセス装置１００内の不揮発性メモリ（図示せず）から取得されたデータ、などが想定される。
【００２５】
以下、図１を使用して、本実施の形態の動作について説明する。
【００２６】
動作開始前は、送信可否情報共有部１０２ａおよび１２１ａの送信可否情報は「通信許可」が設定されている。間接Ｗｒｉｔｅを実施する場合、有線アクセス装置１００は、はじめに間接Ｗｒｉｔｅコマンドパケット、続いて１個以上のデータパケットを、インターフェース装置１２０を介して無線アクセス装置１３０に送信する。
【００２７】
はじめにコマンドパケットの送信について説明する。アプリケーション部１０１は、有線通信インターフェース部１０２に、間接Ｗｒｉｔｅコマンドを発行するように要請する。有線通信インターフェース部１０２は、送信可否情報共有部１０２ａの送信可否情報が「通信許可」であるので、間接Ｗｒｉｔｅコマンドをパケット化し、有線通信路１９１を介してインターフェース装置１２０の有線通信インターフェース部１２１に送信する。
【００２８】
有線通信インターフェース部１２１は、受信したコマンドパケットをインターフェース制御部１２５のコマンド解釈部１２２に供給する。コマンド解釈部１２２は、受信したパケットがコマンド（ここでは間接Ｗｒｉｔｅコマンド）であることを検出し、無線通信インターフェース部１２３に対し、無線アクセス装置１３０に間接Ｗｒｉｔｅコマンドを送信するよう要求する。
【００２９】
無線通信インターフェース部１２３は、無線通信路１９２にパケットを伝送する前に送信可否情報共有部１２１ａの送信可否情報を「通信禁止」とする。すると直ちに有線アクセス装置１００の送信可否情報共有部１０２ａの送信可否情報も「通信禁止」となる。
【００３０】
送信可否情報供給部１０２ａと１２１ａの「通信禁止」／「通信許可」の状態情報の共有を具体的に実現する方法としては、有線通信路１９１において当該情報を表すデータの送受信や、有線アクセス装置１００、インターフェース装置１２０間に専用の電気線を設け、その電気線の電気状態により（例えば、電圧レベルがＨｉであれば「通信禁止」、Ｌｏであれば「通信許可」として）共有する方法がある。また、上記以外にも、有線アクセス装置１００、インターフェース装置１２０間に、無線通信、赤外線通信等の別の通信手段を設け、当該情報を共有することも可能である。
【００３１】
インターフェース装置１２０の無線通信インターフェース部１２３は無線通信路１９２を介して無線アクセス装置１３０の無線通信インターフェース部１３１に間接Ｗｒｉｔｅコマンドを送信する。
【００３２】
無線通信インターフェース部１３１は、送信された間接Ｗｒｉｔｅコマンドを正しく受信したとき、インターフェース装置１２０にＡＣＫパケットを送信する。インターフェース装置１２０の無線通信インターフェース部１２３が、無線アクセス装置１３０から無線通信路１９２を介してＡＣＫパケットを受信したとき、間接Ｗｒｉｔｅコマンド送信に関する無線通信が完結するので、無線通信インターフェース部１２３は送信可否情報共有部１２１ａの送信可否情報を「通信許可」とする。すると直ちに有線アクセス装置１００の送信可否情報共有部１０２ａの送信可否情報も「通信許可」になる。その後、有線通信インターフェース部１２１は、有線アクセス装置１００に対して、（間接Ｗｒｉｔｅコマンドの）コマンド転送完了パケットを、有線通信路１９１を介して送信する。
【００３３】
続いてデータパケットの送信について説明する。有線通信インターフェース部１０２は、送信可否情報共有部１０２ａの送信可否情報が「通信許可」となっていることを検出した上で、メモリ１０３に格納されているデータの全部または一部をパケット化し、有線通信路１９１を介してインターフェース装置１２０の有線通信インターフェース部１２１に送信する。
【００３４】
有線通信インターフェース部１２１は、受信したデータパケットをインターフェース制御部１２５の共有バッファ１２４に保持する。
【００３５】
無線通信インターフェース部１２３は、無線通信路１９２にパケットを伝送する前に送信可否情報共有部１２１ａの送信可否情報を「通信禁止」とする。すると直ちに有線アクセス装置１００の送信可否情報共有部１０２ａの送信可否情報も「通信禁止」になる。
【００３６】
インターフェース装置１２０の無線通信インターフェース部１２３は、有線アクセス装置１００より送信され、共有バッファ１２４に保持されているデータを、無線通信路１９２の仕様に合わせて再パケット化し、無線通信インターフェース部１３１にデータパケットを送信する。無線通信インターフェース部１３１は、送信されたデータを正しく受信したとき、インターフェース装置１２０にＡＣＫパケットを送信し、同時に不揮発性メモリ１３２上に準備された所定のファイルに受信データを書き込む。
【００３７】
インターフェース装置１２０から所定のデータパケットを送信完了したとき、無線通信インターフェース部１２３は送信可否情報共有部１２１ａの送信可否情報に「通信許可」を設定する。すると直ちに有線アクセス装置１００の送信可否情報共有部１０２ａの送信可否情報も「通信許可」になる。その後、有線通信インターフェース部１２１は、有線アクセス装置１００に対して、データ転送完了パケットを、有線通信路１９１を介して送信する。
【００３８】
以後、所定の個数のデータパケットの送信を繰り返し、すべての送信が完了したとき、間接Ｗｒｉｔｅコマンド動作が終了する。
【００３９】
図２は、間接Ｗｒｉｔｅコマンドの動作をより詳細に説明したシーケンス図である。以下図２を用いて、パケットの流れと送信可否情報との関係について説明する。なお、以後説明の便宜上、送信可否情報が「０」のとき「通信許可」を、「１」のとき「通信禁止」を意味するものとする。
【００４０】
有線アクセス装置１００は、送信可否情報が「０」であることを確認した上で、インターフェース装置１２０に間接Ｗｒｉｔｅコマンドパケットを送信する（２０１）。インターフェース装置１２０は、上記パケットを受信すると送信可否情報を「１」に設定する。これにより直ちに送信可否情報が有線アクセス装置１００に伝達され（２０２）、有線アクセス装置１００の送信可否情報も「１」となる。
【００４１】
次にインターフェース装置１２０は、無線アクセス装置１３０に間接Ｗｒｉｔｅコマンドパケットを送信する（２５１）。無線アクセス装置１３０が上記コマンド受信に成功すれば、インターフェース装置１２０にＡＣＫパケットを返信する（２５２）。
【００４２】
インターフェース装置１２０はＡＣＫパケットを受信すると、間接Ｗｒｉｔｅコマンドの無線通信は完結するので、送信可否情報を「０」とする。これにより直ちに送信可否情報が有線アクセス装置１００に伝達され（２０３）、有線アクセス装置１００の送信可否情報も「０」となる。しかる後、インターフェース装置１２０は有線アクセス装置１００に対してコマンド転送完了パケットを送信する（２０４）。
【００４３】
続いて有線アクセス装置１００は、送信可否情報が「０」であることを確認した上で、最終的に無線アクセス装置１３０に書き込むことになるデータの一部であるＤａｔａ［１］パケットを送信する（２０５）。インターフェース装置１２０は、Ｄａｔａ［１］パケットを受信したとき、送信可否情報を「１」とする。これにより直ちに送信可否情報が有線アクセス装置１００に伝達され（２０６）、有線アクセス装置１００の送信可否情報も「１」となる。同時に、Ｄａｔａ［１］のデータを内部の共有バッファ１２４に格納する。
【００４４】
インターフェース装置１２０が受信したＤａｔａ［１］のデータを無線アクセス装置１３０に送信するにあたり、Ｄａｔａ［１］を適当な大きさに分割して再パケット化する。これは、無線通信は有線通信に比べ誤り発生率が高いため、誤りによる再送の効率を考慮してパケットの大きさを有線通信の場合よりも小さくすることが一般的だからである。分割後のデータパケットの数は、有線通信路１９１、無線通信路１９２におけるデータパケットの大きさの上限値や、共有バッファ１２４の大きさ、再送許容回数などを考慮して決定される。本実施の形態では、Ｄａｔａ［１］をＤａｔａ［１．１］、Ｄａｔａ［１．２］に再パケット化するものとする。
【００４５】
インターフェース装置１２０は、無線アクセス装置１３０にＤａｔａ［１．１］パケットを送信する（２５３）。無線アクセス装置１３０が上記パケットを正しく受信できたとき、インターフェース装置１２０にＡＣＫパケットを送信する（２５４）。続いてインターフェース装置１２０は無線アクセス装置１３０にＤａｔａ［１．２］パケットを送信する（２５５）。無線アクセス装置１３０が上記パケットを正しく受信できなかったとき、インターフェース装置１２０はＮＡＫパケットを送信する（２５６）。インターフェース装置１２０がＮＡＫパケットを受信したとき、直前に送信したパケット（ここではＤａｔａ［１．２］パケット）を再送し、無線アクセス装置１３０が正しく受信できればＡＣＫパケットを受信する（２５７〜２５８）。
【００４６】
これでＤａｔａ［１］の無線通信は完結するので、送信可否情報を「０」とする。これにより直ちに送信可否情報が有線アクセス装置１００に伝達され（２０７）、有線アクセス装置１００の送信可否情報も「０」となる。しかる後、インターフェース装置１２０は有線アクセス装置１００に対してＤａｔａ［１］転送完了パケットを送信する（２０８）。
【００４７】
ここで、有線アクセス装置１００は、無線アクセス装置１３０へのデータ転送とは独立したコマンドをインターフェース装置１２０へ送信することも可能である。例えば、有線アクセス装置１００は、送信可否情報が「０」であることを確認した上で、コマンドパケット、例えば無線通信インターフェース部１２３のＭＡＣアドレスの問合せコマンドを送信する（２０９）。このコマンドの場合は、無線通信を伴わないので、インターフェース装置１２０は、送信可否情報を「０」のままとし、問合せ結果を返信する（２１０）。
【００４８】
続いて有線アクセス装置１００は、送信可否情報が「０」であることを確認した上で、Ｄａｔａ［１］に続くＤａｔａ［２］パケットを送信する（２１１）。インターフェース装置１２０は、Ｄａｔａ［２］パケットを受信したとき、送信可否情報を「１」とする。これにより直ちに送信可否情報が有線アクセス装置１００に伝達され（２１２）、有線アクセス装置１００の送信可否情報も「１」となる。これにより、無線通信を実施することができるようになる。
【００４９】
無線通信路１９２の通信を妨害しないために、有線アクセス装置１００が、有線通信路１９１を介してコマンドまたはデータパケットを送信するときは、送信可否情報が「０」でなければならない。よって有線アクセス装置１００がＤａｔａ［１］に続いてコマンド（上記の例では、ＭＡＣアドレス問合せコマンド）や次のデータパケット（Ｄａｔａ［２］）をインターフェース装置１２０に送信しようとするときは、例えばＤａｔａ［１］転送完了（２０８）より後でなければならない（２０９、２１１）。
【００５０】
仮に送信可否情報が「１」、すなわち「通信禁止」であるにも関わらず、有線通信路１９１上にコマンドまたはデータパケットを送信する（２２１）と、有線通信路１９１上で高速な電圧変動による有線通信インターフェース部１２１周辺に不要輻射が生じる。この不要輻射によるノイズが無線通信路１９２を妨害し、無線通信路１９２上のパケットに誤りを生じさせる確率が極めて高くなる。
【００５１】
この結果例えば、Ｄａｔａ［１．１］パケット（２５３）に誤りが発生すると、無線アクセス装置１３０は正しくデータを受信できないのでインターフェース装置１２０にＮＡＫパケットを送信する。ＮＡＫパケットを受信したインターフェース装置１２０は、Ｄａｔａ［１．１］を再送しなければならない。有線通信路１９１による不要輻射ノイズが生じ続け、Ｄａｔａ［１．１］パケットの送信失敗が繰り返されると、無線通信自体が破綻する。
【００５２】
またたとえ無線アクセス装置１３０がＤａｔａ［１．１］パケットの受信に成功し、ＡＣＫパケットを返信した（２５４）としても、不要輻射によりＡＣＫパケットに誤りが発生すると、インターフェース装置１２０で正しくＡＣＫパケットを受信できない。この場合もＮＡＫパケット受信時と同様、Ｄａｔａ［１．１］パケットを再送する必要があるため、上記が繰り返されると無線通信を継続させることが困難となる。
【００５３】
よって、有線アクセス装置１００とインターフェース装置１２０間のＤａｔａ［１］に続くＤａｔａ［２］パケットやコマンドの送信は、インターフェース装置１２０において無線通信が実施されていないことが保証されている、送信可否情報＝０であるときに送信しなければならない。
【００５４】
以上説明したように、本発明の第１の実施の形態においては、有線アクセス装置１００がインターフェース装置１２０における無線通信に係る情報を共有し、無線通信が実施されているとき、すなわち送信可否情報が「１」のときは、有線アクセス装置１００はインターフェース装置１２０に対してパケットを送信しない。これにより、有線通信路１９１上の通信により生じる不要輻射ノイズによって不用意に無線通信を妨害することを抑止し、本通信システムを正しく動作させることができる。
【００５５】
なお、インターフェース装置１２０が有線アクセス装置１００にパケット送信する場合も、自らの送信可否情報が「１」のときはパケットを送信しないことは言うまでもない。
【００５６】
また本実施の形態の説明では、有線通信路上１９１のデータパケットＤａｔａ［１］が、無線通信路上１９２のデータパケットＤａｔａ［１．１］およびＤａｔａ［１．２］の２個のパケットに余すことなく再パケット化すると仮定して説明したが、データパケットの境界は、双方の通信路において必ずしも一致させる必要はない。
【００５７】
さらに本実施の形態の説明では、ＭＡＣアドレス問合せをコマンドにより実施すると説明したが、有線通信路１９１を介してインターフェース装置１２０のレジスタ情報を読み取ることで実施する場合も同様である。
【００５８】
さらに本実施の形態においては、無線アクセス装置１３０の不揮発性メモリ１３２内に生成されているファイルから、インターフェース装置１２０を介して有線アクセス装置１００のメモリ１０３にデータを読み出す動作（以後この動作を「間接Ｒｅａｄ」と呼ぶ）についても、同様に実施可能である。
【００５９】
（第２の実施の形態）
図３は、本発明の第２の実施の形態に於ける通信システムの実施方法を示したブロック図である。図３における通信システムにおいて、３１０は不揮発性記憶装置、３１１はインターフェースモジュール、３２０は不揮発性メモリである。
【００６０】
第１の実施の形態との相違点は、インターフェース装置１２０に代わり、インターフェース装置１２０と同等の機能を有するモジュールであるインターフェースモジュール３１１と不揮発性メモリ３２０とを備えた不揮発性記憶装置３１０が、有線アクセス装置３００および無線アクセス装置１３０と通信を行うことである。
【００６１】
このような通信システムにおいては、有線アクセス装置３００の指示により、不揮発性記憶装置３１０内の不揮発性メモリ３２０に格納されたデータを、無線通信路１９２を介して無線アクセス装置１３０内の不揮発性メモリ１３２に書き込む動作（以後この動作を「Ｐｕｓｈ」と呼ぶ）が実現可能である。
【００６２】
図４は本実施の形態におけるＰｕｓｈコマンドの動作をより詳細に説明したシーケンス図である。以下、本実施の形態の動作について、主として図４を用いて説明する。
【００６３】
有線アクセス装置３００は、送信可否情報が「０」であることを確認した上で、不揮発性記憶装置３１０にＰｕｓｈコマンドパケットを送信する（４０１）。不揮発性記憶装置３１０は、上記パケットを受信すると送信可否情報を「１」に設定する。これにより直ちに送信可否情報が有線アクセス装置３００に伝達され（４０２）、有線アクセス装置３００の送信可否情報も「１」となる。
【００６４】
次に不揮発性記憶装置３１０は、無線アクセス装置１３０にＰｕｓｈコマンドパケットを送信する（４５１）。Ｐｕｓｈコマンドパケットには、例えば無線アクセス装置１３０上でデータが書き込まれるファイル名などが含まれる。無線アクセス装置１３０が上記コマンド受信に成功すれば、不揮発性記憶装置３１０にＡＣＫパケットを返信する（４５２）。
【００６５】
不揮発性記憶装置３１０はＡＣＫパケットを受信すると、図３の不揮発性メモリ３２０上にあるデータの一部を共有バッファ１２４上でパケット化し、Ｄａｔａ［１］パケットとして無線アクセス装置１３０に送信する（４５３）。無線アクセス装置１３０が上記パケットを正しく受信できたとき、不揮発性記憶装置３１０にＡＣＫパケットを送信する（４５４）。
【００６６】
続いて不揮発性記憶装置３１０は無線アクセス装置１３０にＤａｔａ［２］パケットを送信する（４５５）。無線アクセス装置１３０が上記パケットを正しく受信できなかったとき、不揮発性記憶装置３１０はＮＡＫパケットを送信する（４５６）。不揮発性記憶装置３１０がＮＡＫパケットを受信したとき、直前に送信したパケット（ここではＤａｔａ［２］パケット）を再送し、無線アクセス装置１３０が正しく受信できればＡＣＫパケットを受信する（４５７〜４５８）。
【００６７】
以後続けてＤａｔａ［３］、Ｄａｔａ［４］を送信してもよいが、このままでは送信可否情報が［１］のままであるため、無線通信路１９２上のデータパケットの通信が完了するまで、例えば有線アクセス装置３００が不揮発性記憶装置３１０に対してコマンドまたはデータパケットを送信する（４２１）ことはできない。
【００６８】
これでは不都合なので、Ｄａｔａ［２］送信のＡＣＫパケットを受信した（４５８）後、所定の期間不揮発性記憶装置３１０は送信可否情報を「０」にする（４０３）。この結果、有線アクセス装置３００は、送信可否情報が「０」であることを確認した上で、コマンドパケット、例えば不揮発性記憶装置３１０の不揮発性メモリ３２０の残容量問合せコマンドを送信し、問合せ結果を受信する（４０４〜４０５）ことができるようになる。所定の期間経過後、不揮発性記憶装置３１０は送信可否情報を「１」にする（４０６）。
【００６９】
以後、不揮発性記憶装置３１０はＤａｔａ［３］、Ｄａｔａ［４］を順次送信し（４５９〜４６２）、所定の期間送信可否情報を「０」にする（４０７〜４０８）。
【００７０】
以上説明したように、本発明の第２の実施の形態においては、無線通信路１９２上でのデータ通信が間断なく行われるＰｕｓｈコマンドのような場合、所定の期間送信可否情報を「０」にすることで、Ｐｕｓｈコマンド実行の途中でも有線アクセス装置３００から残容量問合せのようなコマンドを発行することができる。
【００７１】
なお本実施の形態において、無線通信路１９２によるデータの伝送中、不揮発性記憶装置３１０が送信可否情報を「０」にするタイミングについて、特に規定はない。
【００７２】
また本実施の形態においては、第１の実施の形態で説明した間接Ｗｒｉｔｅ、間接Ｒｅａｄも同様に実施可能である。
【００７３】
（第３の実施の形態）
図５は、本発明の第３の実施の形態に於ける通信システムの実施方法を示したブロック図である。図５において、５０２は有線アクセス装置５００の有線通信インターフェース部、５２０はインターフェース装置、５２１はインターフェース装置５２０の有線通信インターフェース部である。また有線通信インターフェース部５０２、同５２１は、それぞれフラグ検出部５０２ａ、フラグ生成部５２１ａを含む。
【００７４】
以下、図５を使用して、本実施の形態の動作を主として第１の実施の形態との相違点について説明する。
【００７５】
フラグ生成部５２１ａは、無線通信を開始、もしくは再開するときに、「通信禁止」を意味するフラグを、また無線通信を終了もしくは一時中止するときに、「通信許可」を意味するフラグを生成し、有線通信路１９１上のパケットに多重して有線アクセス装置５００に送信する。
【００７６】
フラグ検出部５０２ａは、有線通信インターフェース部５０２で受信したパケットを解析し、「通信禁止」を意味するフラグを検出したときは、有線アクセス装置５００を通信禁止状態にし、「通信許可」を意味するフラグを検出したときは、通信許可状態にする。
【００７７】
図６は、本実施の形態において、間接Ｗｒｉｔｅコマンドを実施したときのシーケンス図である。以下、図６を用いて本実施の形態の動作の詳細を説明する。なお以後説明を簡便にするため、「通信許可」を意味するフラグをフラグ［０］、「通信禁止」を意味するフラグをフラグ［１］と記載する。
【００７８】
有線アクセス装置５００は、インターフェース装置５２０に間接Ｗｒｉｔｅコマンドパケットを送信する（６０１）と、インターフェース装置５２０はフラグ［１］を生成し、間接ＷｒｉｔｅコマンドのＡＣＫパケットに多重して有線アクセス装置５００に送信する（６０２）。有線アクセス装置５００は、上記ＡＣＫパケットを解析してフラグ［１］を検出したとき、通信禁止状態に移行する。
【００７９】
インターフェース装置５２０は、フラグ［１］を多重したＡＣＫパケットを有線アクセス装置５００に送信（６０２）した後、無線アクセス装置１３０に間接Ｗｒｉｔｅコマンドパケットを送信し、ＡＣＫを受信する（６５１〜６５２）。
【００８０】
インターフェース装置５２０は、上記ＡＣＫパケットを受信（６５２）したとき、フラグ［０］を生成し、コマンド転送完了パケットに多重して有線アクセス装置５００に送信する（６０３）。有線アクセス装置５００は、上記コマンド転送完了パケットを解析してフラグ［０］を検出したとき、通信許可状態に移行する。これにより、有線アクセス装置５００は、有線通信路１９１にパケットの送信が可能となる。
【００８１】
有線アクセス装置５００は、インターフェース装置５２０にＤａｔａ［１］パケットを送信する（６０４）と、インターフェース装置５２０はフラグ［１］を生成し、Ｄａｔａ［１］パケットのＡＣＫパケットに多重して有線アクセス装置５００に送信する（６０５）。
【００８２】
Ｄａｔａ［１］パケット受信に伴って、無線通信路１９２上で、第１の実施の形態と同様のパケット送受信が行われた（６５３〜６５８）後、インターフェース装置５２０はフラグ［０］を生成し、Ｄａｔａ［１］転送完了パケットに多重して有線アクセス装置５００に送信する（６０６）。その結果、有線アクセス装置５００は通信許可状態となる。
【００８３】
第１の実施の形態と同様に、有線アクセス装置５００は通信許可状態のときに、コマンドまたはデータパケットを送信することができる（６０４、６０７、６０９）。通信禁止状態のときにコマンドまたはデータを送信する（６２１）と、有線通信に伴う不要輻射により、無線通信の誤り率が高くなり、効率よく無線通信を継続させることが困難となる。
【００８４】
以上説明したように、本発明の第３の実施の形態においては、インターフェース装置５２０のフラグ生成部５２１ａが、無線通信路１９２の通信状況に応じてフラグを生成し、有線アクセス装置５００に送信するパケットに多重する。有線アクセス装置５００は、上記フラグを解析することで、無線通信を妨害しないようインターフェース装置５２０にパケットを送信可能かどうかの判断を行うことができる。
【００８５】
図７は、本実施の形態における別の動作を示すシーケンス図である。図７では、有線アクセス装置５００が無線通信を伴うパケットを送信したとき（６０１、６０４、６０９）に、自ら通信禁止状態とする点が図６と異なる。この場合、インターフェース装置５２０は、フラグ［１］を送信する必要がない。
【００８６】
（第４の実施の形態）
図８は、本発明の第４の実施の形態に於ける通信システムの実施方法を示したブロック図である。図８において、８０２は有線アクセス装置８００の有線通信インターフェース部、８２０はインターフェース装置、８２１はインターフェース装置８２０の有線通信インターフェース部、８２３はインターフェース装置８２０の無線通信インターフェース部、８３１は無線アクセス装置８３０の無線通信インターフェース部である。
【００８７】
有線アクセス装置８００内の有線通信インターフェース部８０２は、有線フラグ検出部８０２ａおよび有線フラグ生成部８０２ｂを含む。
【００８８】
インターフェース装置８２０内の有線通信インターフェース部８２１は、有線フラグ検出部８２１ａおよび有線フラグ生成部８２１ｂを含む。
【００８９】
インターフェース装置８２０内の無線通信インターフェース部８２３は、無線フラグ生成部８２３ａを含む。
【００９０】
無線アクセス装置８３０内の無線通信インターフェース部８３１は、無線フラグ検出部８３１ａを含む。
【００９１】
本実施の形態においては、無線アクセス装置８３０の不揮発性メモリ１３２内に生成されているファイルから、インターフェース装置８２０を介して有線アクセス装置８００内のメモリ１０３に読み出す動作である間接Ｒｅａｄの場合について説明する。なお、メモリ１０３に読み出されたデータは、有線アクセス装置８００に付随する出力装置（図示せず）に映像データもしくは音声データとして出力されるデータ、有線アクセス装置８００内の不揮発性メモリ（図示せず）上のファイルに書き込まれるデータ、などが想定される。
【００９２】
有線フラグおよび無線フラグは、「通信許可」を意味する場合をそれぞれ有線フラグ［０］、無線フラグ［０］と表記し、「通信禁止」を意味する場合をそれぞれ有線フラグ［１］、無線フラグ［１］と表記する。
【００９３】
以下、図８を使用して、本実施の形態の動作について、主として第１、第３の実施の形態との相違点を中心に説明する。
【００９４】
インターフェース装置８２０の有線フラグ生成部８２１ｂは、無線通信を開始したいときに有線フラグ［１］を、有線通信を開始したいときに有線フラグ［０］を生成し、有線通信路１９１上のパケットに多重して有線アクセス装置８００に送信する。
【００９５】
有線アクセス装置８００の有線フラグ検出部８０２ａは、有線通信路１９１を介して受信したパケットを解析し、有線フラグ［１］を検出したときは有線通信禁止状態に、有線フラグ［０］を検出したときは、通信許可状態に移行する。
【００９６】
有線アクセス装置８００の有線フラグ生成部８０２ｂは、インターフェース装置８２０に無線通信を開始させたいときに、有線フラグ［１］を生成し、有線通信路１９１上のパケットに多重してインターフェース装置８２０に送信する。
【００９７】
インターフェース装置８２０の有線フラグ検出部８２１ａは、有線通信路１９１を介して受信したパケットを解析し、有線フラグ［１］を検出したときに、無線フラグ生成部８２３ａに通知する。
【００９８】
無線フラグ生成部８２３ａは、上記通知を受けたとき、無線フラグ［０］を生成し、また有線通信を開始したいときには、無線フラグ［１］を生成し、無線通信路１９２上のパケットに多重して無線アクセス装置８３０に送信する。
【００９９】
無線フラグ検出部８３１ａは、無線通信路１９２を介して受信したパケットを解析し、無線フラグ［１］を検出したときは無線通信禁止状態に、無線フラグ［０］を検出したときは、通信許可状態に移行する。
【０１００】
図９は、本実施の形態において、間接Ｒｅａｄコマンドの動作をより詳細に説明したシーケンス図である。以下図９を用いて、パケットの流れと各状態情報との関係について説明する。
【０１０１】
有線アクセス装置８００は、インターフェース装置８２０に間接Ｒｅａｄコマンドパケットを送信する（９０１）と、無線通信を開始するために、インターフェース装置８２０にて有線フラグ［１］を生成し、間接ＲｅａｄコマンドのＡＣＫパケットに多重して有線アクセス装置８００に送信する（９０２）。有線アクセス装置８００は、上記ＡＣＫパケットを解析して有線フラグ［１］を検出したとき、有線通信禁止状態に移行する。
【０１０２】
インターフェース装置８２０は、有線フラグ［１］を多重したＡＣＫパケットを有線アクセス装置８００に送信（９０２）した後、無線アクセス装置８３０に間接Ｒｅａｄコマンドパケットを送信し、ＡＣＫを受信する（９５１〜９５２）。続いて無線アクセス装置８３０は、最終的に有線アクセス装置８００に送信するデータの最初の部分をパケット化したＤａｔａ［１］パケットをインターフェース装置８２０に送信し（９５３）、インターフェース装置８２０が正常受信できたときに無線アクセス装置１３０はＡＣＫパケットを受信する（９５４）。次に無線アクセス装置１３０は、Ｄａｔａ［１］に続くデータであるＤａｔａ［２］パケットをインターフェース装置８２０に送信する（９５５）。
【０１０３】
インターフェース装置８２０は、Ｄａｔａ［１］とＤａｔａ［２］を結合し、Ｄａｔａ［１＋２］として有線アクセス装置１００に送信するために、インターフェース装置８２０の無線フラグ生成部８２３ａで無線フラグ［１］を生成し、Ｄａｔａ［２］受信のＡＣＫパケットに多重して、無線アクセス装置８３０に送信する（９５６）。
【０１０４】
無線アクセス装置８３０は、無線フラグ検出部８３１ａにて上記ＡＣＫパケットを解析して無線フラグ［１］を検出したとき、無線通信禁止状態に移行し、無線通信路１９２を介したパケット送信を行わない。すなわち無線通信禁止状態で、Ｄａｔａ［２］に続くＤａｔａ［３］パケットの送信（９７１）は行わない。
【０１０５】
一方インターフェース装置８２０は、無線フラグ［１］を多重したＡＣＫパケットを無線アクセス装置８３０に送信（９５６）後、有線フラグ生成部８２１ｂにて有線フラグ［０］を生成し、Ｄａｔａ［１＋２］パケットに多重して有線アクセス装置８００に送信する（９０３）。
【０１０６】
有線アクセス装置１００は、Ｄａｔａ［１＋２］パケットを受信したとき、有線フラグ検出部８０２ａで当該パケットに多重されている有線フラグ［０］を検出し、通信許可状態とする。
【０１０７】
この後、有線アクセス装置８００はコマンドもしくはデータを送信する必要がない場合、有線フラグ生成部８０２ｂにて有線フラグ［１］を生成し、Ｄａｔａ［１＋２］受信に対するＡＣＫパケットに多重し、通信許可状態であることを確認してインターフェース装置８２０に送信する（９０４）。その後、有線アクセス装置８００を有線通信禁止状態に移行する。有線通信禁止状態では、コマンド、データの送信はできない（９２１）。
【０１０８】
インターフェース装置８２０は、有線フラグ検出部８２１ａにて有線フラグ［１］を検出したとき、無線通信が可能となったので、無線フラグ生成部８２３ａにて無線フラグ［０］を生成し、次のデータを要求するためのデータ要求コマンドパケットに多重して、無線アクセス装置８３０に送信する（９５７）。
【０１０９】
無線アクセス装置８３０は、データ要求コマンドパケットを受信したとき、当該パケットに多重されている無線フラグ検出部８３１ａで無線フラグ［０］を検出し、通信許可状態とする。その後データパケットのＤａｔａ［３］、Ｄａｔａ［４］を送信し、Ｄａｔａ［４］受信ＡＣＫに多重されている無線フラグ［０］を検出したときに、無線通信禁止状態に移行する（９５８〜９６１）。
【０１１０】
有線アクセス装置８００において、有線フラグ［０］を多重したＤａｔａ［３＋４］パケットを受信（９０５）した後、有線通信路１９１にコマンドもしくはデータパケットを送信したい場合には、有線フラグ［１］を多重せずにＡＣＫパケットを送信する（９０６）。このとき有線アクセス装置８００はコマンド、例えばＭＡＣアドレス問合せコマンドパケットを送信し、結果を取得できる（９０７〜９０８）。
【０１１１】
上記の後、無線アクセス装置８３０からデータパケットを取得する必要がある場合は、有線フラグ［１］を単独でパケット化し、インターフェース装置８２０に送信する（９０９）。
【０１１２】
以上説明したように、本発明の第４の実施の形態によれば、無線アクセス装置８３０からデータを読み出す場合においても、有線通信路１９１、無線通信路１９２において同時にパケットが通信されないよう、有線フラグおよび無線フラグを適切に生成、検出することで、有線通信による不要輻射により無線通信が妨害されることがなくなる。
【０１１３】
なお本実施の形態において、無線通信路１９２上のデータパケット（Ｄａｔａ［１］、Ｄａｔａ［２］、．．．）から有線通信路１９１上のデータパケットの構成の方法について、特に規定はない。
【０１１４】
さらに本実施の形態において、第１の実施の形態で説明した間接Ｗｒｉｔｅ動作も実施可能であることは言うまでもない。
【０１１５】
なお、本発明のすべての実施の形態においては、有線通信路、無線通信路を各々１種類ずつとして説明したが、それぞれの通信路が複数種類あってもかまわない。さらに、各実施の形態の構成要素を適宜組み合わせて構成した形態においても、本発明は有効である。
【０１１６】
また第３、第４の実施の形態においては、状態情報をＡＣＫなどのパケットに多重するよう記載したが、ＡＣＫなどとは独立に、状態情報のみを独立にパケット化して送信することも可能である（図９の９０９）。
【産業上の利用可能性】
【０１１７】
本発明は、無線機能を有しないホスト機器にインターフェース装置を装着して無線機能をアドオンした通信システムにおいて、不要輻射により無線通信を妨害しないための、ホスト機器からのデータ通信方法を提案したものである。本発明は、上記インターフェース装置単体のほかに、インターフェース装置と同等の機能を有するインターフェースモジュールに不揮発性メモリをさらに有した不揮発性記憶装置、およびこれらを装着する動画記録再生装置、静止画記録再生装置、音声記録再生装置、あるいは携帯電話等において有益である。
【図面の簡単な説明】
【０１１８】
【図１】本発明の第１の実施の形態の構成を説明したブロック図
【図２】第１の実施の形態の動作を説明したシーケンス図
【図３】本発明の第２の実施の形態の構成を説明したブロック図
【図４】第２の実施の形態の動作を説明したシーケンス図
【図５】本発明の第３の実施の形態の構成を説明したブロック図
【図６】第３の実施の形態の動作を説明したシーケンス図
【図７】第３の実施の形態の別の動作を説明したシーケンス図
【図８】本発明の第４の実施の形態の構成を説明したブロック図
【図９】第４の実施の形態の動作を説明したシーケンス図
【符号の説明】
【０１１９】
１００、３００、５００、８００  有線アクセス装置
１０１  アプリケーション部
１０２、１２１、５０２、５２１、８０２、８２１  有線通信インターフェース部
１０２ａ、１２１ａ  送信可否情報共有部
１０３  メモリ
１２０、５２０、８２０  インターフェース装置
１２２  コマンド解釈部
１２３、１３１、８２３、８３１  無線通信インターフェース部
１２４  共有バッファ
１２５  インターフェース制御部
１３０  無線アクセス装置
１３２、３２０  不揮発性メモリ
１９１  有線通信路
１９２  無線通信路
３１０  不揮発性記憶装置
３１１  インターフェースモジュール
３２０  不揮発性メモリ
５０２ａ  フラグ検出部
５２１ａ  フラグ生成部
８０２ａ、８２１ａ  有線フラグ検出部
８０２ｂ、８２１ｂ  有線フラグ生成部
８２３ａ  無線フラグ生成部
８３１ａ  無線フラグ検出部
【図１】
2009164868.tif 000003
【図２】
2009164868.tif 000004
【図３】
2009164868.tif 000005
【図４】
2009164868.tif 000006
【図５】
2009164868.tif 000007
【図６】
2009164868.tif 000008
【図７】
2009164868.tif 000009
【図８】
2009164868.tif 000010
【図９】
2009164868.tif 000011